(57)【特許請求の範囲】
【請求項１】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記２つの経路にそれぞれレンズを設け、一方の経路のレンズの焦点距離と、他方の経路のレンズの焦点距離とを異ならせ、測光範囲をテレ撮影時には、ワイド撮影時に比べ絞り込んだことを特徴とするカメラ用測光装置。
【請求項２】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記テレ撮影用の受光素子の受光面を、上記ワイド撮影用の受光素子の受光面より小さくし、かつテレ撮影用の撮影領域に合わせ、中心位置をずらしたことを特徴とするカメラ用測光装置。
【請求項３】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記テレ撮影用の受光素子に導かれる光を、その受光素子の前に置かれる枠体で特定範囲のものに絞り込んだことを特徴とするカメラ用測光装置。
【請求項４】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記ワイド撮影用の受光素子による第１検知信号と、上記テレ撮影用の受光素子による第２検知信号とを、輝度測定用として、その撮影倍率の特定位置で切り替えて使用するようにしたことを特徴とするカメラ用測光装置。
【請求項５】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記ワイド撮影用の受光素子からの第１検知信号にその撮影倍率によって変化する第１の係数をかけ、上記テレ撮影用の受光素子からの第２検知信号にその撮影倍率によって変化する第２の係数をかけ、その両者の値を加えることにより輝度値を算出するようにしたことを特徴とするカメラ用測光装置。
【請求項６】
被写体からの光を撮影レンズとは異なる窓から入力させ、受光素子に導き、その輝度を測定するカメラ用測光装置において、上記受光素子を２つ設け、入力してくる光を２つの経路に分離し、一方の経路の光を一方の受光素子で検知し、他方の経路の光を他方の受光素子で検知し、上記一方の受光素子をワイド撮影用とし、上記他方の受光素子をテレ撮影用とし、上記ワイド撮影用の受光素子による第１検知信号のみをワイド撮影時の輝度測定に用い、上記テレ撮影用の受光素子による第２検知信号のみをテレ撮影時の輝度測定に用い、上記第１および第２検知信号の両信号をワイド撮影とテレ撮影の間の中間倍率の撮影時の輝度測定に用いることを特徴とするカメラ用測光装置。
【請求項７】
前記第１検知信号のみを使用する第１領域と、前記第２検知信号のみを使用する第２領域と、前記両信号を演算して使用する中間領域の３つの領域を、その撮影倍率に対応させて設けたことを特徴とする請求項６記載のカメラ用測光装置。
【請求項８】
請求項１から７のいずれか１項記載のカメラ用測光装置によって輝度測定をするようにしたことを特徴とするカメラ。
【発明の詳細な説明】
【０００１】
【発明の属する技術分野】
本発明は、被写体の明るさ（輝度）を測定するカメラ用測光装置およびカメラに関し、特に、撮影レンズに入射した光以外の光を測光用に利用したカメラ用測光装置およびカメラの改良に関する。
【０００２】
【従来の技術】
従来から、カメラには、撮影レンズを通過しフィルムに当たる光の明るさ（輝度）を測る測光装置が用いられている。このカメラ用測光装置は、図１２に示すように、撮影レンズのズーミングに連動するブームファインダーの窓とは、別の窓から測光用の光を入れるカメラ用測光装置３０と、図１７に示すようにズームファインダーに入力した光を測光用にも利用するカメラ用測光装置５０とが知られている。
【０００３】
図１２に示すカメラ用測光装置３０は、このカメラ用測光装置３０の両隣の自動焦点用のＡＦ投光レンズ３１とＡＦ受光レンズ３２とかなる自動焦点装置３３と共に、ファインダーロック３４内に設けられている。そして、カメラ用測光装置３０の構成は、非球面厚肉レンズ３５と、４分割の受光素子３６からなり、自動焦点装置３３で特定した主要被写体にウェートをかけて測光をしている。具体的には、図１３に示すように、撮影用範囲Ｍ１に対し、背景測後部としての周辺部測光範囲Ｍ２を設定し、さらに中央の３分割の中央部エリアＭ３，Ｍ３，Ｍ３が重ねて配置される。
【０００４】
一方、図１７に示すカメラ用測光装置５０は、ファインダー光学系５１の一部に配した分割型受光素子５２によって分割測光するものとなっている。すなわち、対物レンズ等の結像系レンズ群５３とポロプリズム５４を含むファインダー光学系５１中にハーフミラー５５を配し、測光用プリズム５６を介して分割型受光素子５２に光を導いている。
【０００５】
ここで、分割型受光素子５２は、図１８に示すように、概略、フォーカスフレームと一致する中央部受光素子５７と、その周りを囲む周辺部受光素子５８とに分割されている。そして、通常のオート撮影では、中央部受光素子５７と周辺部受光素子５８が共に受光し中央重点的な平均測光をしている。一方、スポットボタン（図示省略）の押し込みにより、中央部受光素子５７によるスポット測光が可能となっている。
【０００６】
以上のようなカメラ用測光装置３０，５０の他に、受光素子前のレンズまたは受光素子自体を光軸方向に摺動させて、撮影レンズ系の変倍に応じて測光する範囲を切り換える方法も知られている。
【０００７】
【発明が解決しようとする課題】
しかしながら、従来のカメラ用測光装置３０では、測光範囲の角度は所定の値に決められている。例えば、周辺部測光範囲Ｍ２が縦１２°で横１８°、各中央部エリアＭ３が縦２．７°、横２°として決められている。このため、ワイド撮影時もテレ撮影時もその測光範囲は同じものとなっている。
【０００８】
しかも、撮影レンズ系に入射する光と、カメラ用測光装置３０に入射する光は、異なる光であり、被写体に対し光軸がずれたものとなっている。この結果、パララックスと呼ばれる現象が生じている。このパララックスとは、図１４に示すように、撮影測光軸Ｎ１と測光測定軸Ｎ２とがずれている場合、撮影範囲の中心と測光範囲の中心とがずれてしまうものである。すなわち、遠距離の被写体に対しては、図１５（Ａ）に示すように、ワイド撮影範囲ＬＷとテレ撮影範囲ＬＴに対し、測光範囲ＬＳは同心状に重なるものとなる。一方、例えば３ｍの近距離被写体に対しては、図１５（Ｂ）のとおり、測光範囲ＳＳは、ワイド撮影範囲ＳＷおよびテレ撮影範囲ＳＴの中心からずれたものとなっている。なお、図１５は撮影測光軸Ｎ１から見た測光範囲ＬＳ，ＳＳを示すものとなっている。
【０００９】
このずれは、具体的には、図１６に示すように、近距離被写体のテレ撮影時の撮影範囲ＳＴに対し、テレ撮影時の測光範囲ＳＳは、ＳＴの中央ではなく、大きくずれた位置となる。この結果、ワイド撮影時には、その明るさの検知精度は落ちることはほとんどないが、テレ撮影時には、検知精度が落ちがちとなる。例えば、テレ撮影範囲ＳＴ外の被写体Ａが非常に明るいものである一方、テレ撮影範囲ＳＴ内の被写体Ｂが暗いものであるとき、本来、被写体Ｂの明るさに合わせ露出を開くべきであるのが、被写体Ａの影響で絞り方を大きくしてしまい、露出過少となる等の問題が生じている。
【００１０】
一方、図１７に示すカメラ測光装置５０では、ファインダー光学系５１から測光用の光を導いているので、図１６に示すような問題点は若干解消される。すなわち、測光範囲ＬＳ，ＳＳが撮影側のズームと連動して変化するためである。しかし、この場合も、撮影レンズ側とファインダー光学系５１との入射光が異なるため、特にテレ撮影時には、本来、測光すべき部分とは異なる部分の測光を行う危険性がある。
【００１１】
すなわち、図１９（Ａ）に示すように、ワイド撮影時はその撮影範囲Ｗ１に対し、測光範囲Ｓ１となり、ほとんどずれはなく、測光値と実際の明るさの差はほとんど生じない。しかし、同じものをテレ撮影とすると、その撮影範囲Ｗ２に対し、測光された範囲は、図１９（Ｂ）に示すように測光範囲Ｓ２となり、大きくずれてくる。本来、このテレ撮影時では、撮影範囲Ｗ２を測光すべきである。しかし、入射光のずれがあるため、測光される範囲がずれてしまう。しかしながら、その撮影範囲Ｗ２との関係から、少なくとも、斜線を引いたＷＳの部分のみの測光をすべきこととなるが、図１９（Ｂ）に示すように、不必要な部分の測光も行うことになってしまう。
【００１２】
また、受光素子の前のレンズや受光素子自体を光軸方向に動かすものの場合、機構が複雑となり、故障し易くなり、価格も高くなってしまうという問題を有している。
【００１３】
本発明は、撮影レンズ系から測光用の光を取り出さないようにしたカメラにおいても、簡易な構成にも拘わらず輝度測定の精度を上げ得るようにしたカメラ用測光装置およびカメラを提供することを目的とする。
【００１４】
【課題を解決するための手段】
かかる目的を達成するため、請求項１記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、２つの経路にそれぞれレンズを設け、一方の経路のレンズの焦点距離と、他方の経路のレンズの焦点距離とを異ならせ、測光範囲をテレ撮影時には、ワイド撮影時に比べ絞り込んでいる。
【００１５】
さらに、請求項２記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、テレ撮影用の受光素子の受光面を、ワイド撮影用の受光素子の受光面より小さくし、かつテレ撮影用の撮影領域に合わせ、中心位置をずらしている。
【００１６】
また、請求項３記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、テレ撮影用の受光素子に導かれる光を、その受光素子の前に置かれる枠体で特定範囲のものに絞り込んでいる。
【００１７】
さらに、請求項４記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、ワイド撮影用の受光素子による第１検知信号と、テレ撮影用の受光素子による第２検知信号とを、輝度測定用として、その撮影倍率の特定位置で切り替えて使用するようにしている。
【００１８】
また、請求項５記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、ワイド撮影用の受光素子からの第１検知信号にその撮影倍率によって変化する第１の係数をかけ、テレ撮影用の受光素子からの第２検知信号にその撮影倍率によって変化する第２の係数をかけ、その両者の値を加えることにより輝度値を算出するようにしている。
【００１９】
さらに、請求項６記載の発明では、被写体からの光を撮影レンズとは異なる窓から入力させ、受光素子に導き、その輝度を測定するカメラ用測光装置において、受光素子を２つ設け、入力してくる光を２つの経路に分離し、一方の経路の光を一方の受光素子で検知し、他方の経路の光を他方の受光素子で検知し、一方の受光素子をワイド撮影用とし、他方の受光素子をテレ撮影用とし、ワイド撮影用の受光素子による第１検知信号のみをワイド撮影時の輝度測定に用い、テレ撮影用の受光素子による第２検知信号のみをテレ撮影時の輝度測定に用い、第１および第２検知信号の両信号をワイド撮影とテレ撮影の間の中間倍率の撮影時の輝度測定に用いている。加えて、請求項７記載の発明では、請求項６記載のカメラ用測光装置において、第１検知信号のみを使用する第１領域と、第２検知信号のみを使用する第２領域と、両信号を演算して使用する中間領域の３つの領域を、その撮影倍率に対応させて設けている。
【００２２】
加えて、本発明のカメラでは、請求項１から７のいずれか１項記載のカメラ用測光装置によって輝度測定をしている。
【００２３】
本発明のカメラ用測光装置は、撮影レンズ系を通過する光とは別な光を輝度測定用として利用するカメラに適用される。このようなカメラにあっては、フィルムに当たる光の範囲と測光する範囲がわずかではあるがずれてしまう。特に、近距離撮影のときは、そのずれが大きくなる。このずれは、ワイド撮影時にはほとんど測光誤差としては現れてこないが、テレ撮影時は大きくずれることとなり、測光誤差が生じやすい。
【００２４】
特に、測光装置がファインダー光学系の光を利用せず、常時所定の被写体角度範囲の入射光の輝度を測定するものである場合、大きな測定誤差が生じやすいものとなる。すなわち、入射光の上記のずれに加え、テレ撮影時には本来被写体角度が狭まるはずであるが、ワイド撮影時と同様な被写体角度となることによる測光誤差が生じる危険性を有している。
【００２５】
本発明のカメラ用測光装置およびカメラは、測光用の受光素子を２つ設け、一方をワイド撮影用の輝度測定に用い、他方をテレ撮影用の輝度測定に用いる。また、他の本発明のカメラ用測光装置は、受光素子の前側にシリンドリカルレンズを置き、ワイド撮影やテレ撮影に合わせ、そのシリンドリカルレンズを回転させ、受光素子に当たる光の範囲を異ならせている。このため、いずれの装置を使用しても、輝度測定の精度を上げることができる。
【００２６】
【発明の実施の形態】
以下、本発明の実施の形態の例を図１から図１１に基づき説明することとするが、まず最初に、第１の実施の形態を図１から図３に基づいて説明する。なお、各実施の形態のカメラ用測光装置は、すべてカメラに使用されるものとなっている。
【００２７】
この実施の形態のカメラ用測光装置１は、図１２に示すようなカメラ用測光装置３０と同様に、撮影レンズ光学系やファインダーレンズ光学系を通過する光を利用する測光装置とはなっていない。すなわち、カメラ前面のそれらとは全く別の窓から光をとり、輝度測定をするものとなっている。そして、その窓から入射してきた測定光Ｗは、ハーフミラー２を有する測光レンズ３に入る。
【００２８】
測光レンズ３は、ハーフミラー２と、このハーフミラー２を通過する測定光Ｗをそのまま通過させる第１のレンズ４と、ハーフミラー２で反射される測定光Ｗを通過させる第２のレンズ５とから構成される。
【００２９】
第１のレンズ４と対向する位置に、この第１のレンズ４を通過してきた測定光Ｗを受光し輝度測定するワイド撮影用の受光素子６が設けられる。一方、第２のレンズ５と対向する位置に、この第２のレンズ５を通過してきた測定光Ｗを受光し輝度測定するテレ撮影用の受光素子７が設けられている。なお、各受光素子６，７はＣｄＳで構成されており、そのレンズ対向面全体が受光面とされている。
【００３０】
ここで、第２のレンズ５の被写体からの光が入射してくる面５ａおよび受光素子７に対向する側の面５ｂと、第１のレンズ４の受光素子６に対向する側の面４ａは、全て凸面とされている。なお、面４ａに比べ、面５ｂの曲率を小さくしており、第２のレンズ５のみで構成されるレンズの焦点距離を、第１および第２のレンズ４，５からなるレンズ系の焦点距離より長くしている。
【００３１】
このように、テレ撮影用の受光素子７のためのレンズの焦点距離を長くしているので、ワイド撮影用測光角αに比べ、テレ撮影用測光角βが小さくなる。このため、図２の撮影光軸側から見た遠距離撮影の場合に示すように、ワイド測光範囲ＬＳＷに対し、テレ測光範囲ＬＳＴは小さくなり、そのテレ撮影範囲ＬＴ内に入ることとなる。なお、この実施の形態では、遠距離撮影のときのワイド撮影範囲ＬＷに対してのワイド測光範囲ＬＳＷと、テレ撮影範囲ＬＴに対してのテレ測光範囲ＬＳＴの各比例関係を同一となるように設定している。
【００３２】
このように構成されるカメラ用測光装置１では、ワイド撮影時は、受光素子６で検知される第１検知信号を使用して輝度測定する。一方、テレ撮影時では、受光素子７で検知される第２検知信号を使用して輝度測定する。そして、ワイド撮影からテレ撮影またはテレ撮影からワイド撮影に移り変わる所定位置で、使用する検知信号を切り替えている。例えば、レンズ焦点が３８〜９０ｍｍの場合、所定値例えば６０ｍｍを超えると受光素子７の第２検知信号を利用し、それ以前は受光素子６の第１検知信号を利用するようにする。
【００３３】
測定の際、上述のように受光素子６，７を切り替える方法の他に、次の（１）ような計算式を利用して輝度測定するようにしても良い。すなわち、
Ｄ（ｆ）＝Ａ（ｆ）ＤＷ+Ｂ（ｆ）ＤＴ          ・・・・・・（１）
ＤＷ:受光素子６による第１検知信号
ＤＴ:受光素子７による第２検知信号
Ａ（ｆ）：ワイド側での係数
Ｂ（ｆ）：テレ側での係数
【００３４】
この計算式（１）を用いる場合、ワイドからテレの所定位置で切り替える必要はなく、受光素子６，７からの各検知信号を常時利用することとなると共に、各係数Ａ（ｆ）、Ｂ（ｆ）の利用により、撮影領域の正しい測光値により近い値とすることができる。
【００３５】
また、図３に示すように、その変倍域に対応させて、３つの測光領域Ａ，Ｂ，Ｃを切り換えて使用するようにしても良い。すなわち、測光領域Ａは、受光素子６で検知される第１検知信号のみを使用して輝度測定し、測光領域Ｂは、上述の計算式（１）を使用して輝度測定し、測光領域Ｃは、受光素子７で検知される第２検知信号のみを使用して輝度測定することとする。
【００３６】
次に、本発明の第２の実施の形態の例を図４および図５に基づき説明する。
【００３７】
この第２の実施の形態のカメラ用測光装置１１は、図１に示すようなカメラ用測光装置１と同様に、撮影レンズ光学系やファインダーレンズ光学系を通過する光を利用する測光装置とはなっていない。すなわち、カメラ前面のそれらとは全く別の窓から光をとり、輝度測定をするものとなっている。そして、その窓から入射してきた測定光Ｗは、ハーフミラー１２を有する測光レンズ１３に入る。
【００３８】
測光レンズ１３は、ハーフミラー１２と、このハーフミラー１２を通過する測定光Ｗをそのまま通過させる第１のレンズ１４と、ハーフミラー１２で反射される測定光Ｗを通過させる第２のレンズ１５とから構成される。
【００３９】
第１のレンズ１４と対向する位置に、この第１のレンズ１４を通過してきた測定光Ｗを受光し輝度測定するワイド撮影用の受光素子１６が設けられる。一方、第２のレンズ１５と対向する位置に、この第２のレンズ１５を通過してきた測定光Ｗを受光し輝度測定するテレ撮影用の受光素子１７が設けられている。なお、各受光素子１６，１７はＣｄＳで構成されている。
【００４０】
ここで、第２のレンズ１５の被写体からの光が入射してくる面は、凸面とされている。また、第１のレンズ１４の受光素子１６に対向する側の面と、第２のレンズ１５の受光素子１７に対向する側の面も、共に同曲率の凸面とされている。
【００４１】
ワイド撮影用の受光素子１６は、測光光軸側から見た図５に示すように、近距離撮影状態におけるワイド撮影範囲ＳＷ内や遠距離撮影時のワイド撮影範囲ＬＷ内の光を受光するように配置され、かつそのような大きさの素子となっている。一方、テレ撮影用の受光素子１７は、近距離撮影時のテレ撮影範囲ＳＴと遠距離撮影時のテレ撮影範囲ＬＴを共にカバーする中測光範囲ＭＳ１となるように配置され、かつそのような大きさの素子となっている。
【００４２】
すなわち、ワイド撮影時には、ワイド撮影範囲ＳＷ，ＬＷは大きいため、受光素子１６の受光面１８も大きくされ、そのワイド撮影範囲ＳＷ，ＬＷをカバーするようになっている。一方、テレ撮影時には、テレ撮影範囲ＳＴは、ワイド撮影範囲ＳＷに対して、その一部でかつ中心からずれたところに位置することになるため、受光素子１７の受光面１９は、その範囲を測光するように小さく、かつ光軸からずれた位置にくるように配置される。なお、受光素子１７の受光面１９を遠距離撮影のテレ撮影範囲ＬＴと近距離撮影のテレ撮影範囲ＳＴの中間位置の小測光範囲ＭＳ２としても良い。
【００４３】
このように構成されるカメラ用測光装置１１では、第１の実施の形態で示した３種類の輝度測定方法を同様に採用することができる。すなわち、第１に、ワイド撮影からテレ撮影またはテレ撮影からワイド撮影に移り変わる所定位置で、使用する検知信号を切り替える方法、第２に上述した計算式（１）を使用する方法、第３に図３に示す、第１と第２の方法を混在させる方法のいずれの方法も利用することができる。
【００４４】
この第２の実施の形態のカメラ用測光装置１１は、ワイド撮影とテレ撮影に合わせた測光に加え、パララックス補正も行われており、精度の良い測光を行うことができる。
【００４５】
次に、本発明の第３の実施の形態のカメラ用測光装置２０を図６に基づいて説明する。このカメラ用測光装置２０は、第１の実施の形態のカメラ用測光装置１にパララックス補正を追加したものとなっている。よって、第１の実施の形態と同一部材には、同一符号を付してその説明を省略または簡略化することとする。
【００４６】
このカメラ用測光装置２０は、テレ撮影用の受光素子７の中心をその測定光Ｗの光軸ＷＬからわずかにずらしている。そのずらし量Ｍは、図１５（Ｂ）に示す、測光範囲ＳＳの中心がテレ撮影範囲ＳＴの中心に重なる程度のずらし量としている。
【００４７】
なお、図１５（Ｂ）は被写体が３ｍの場合としているので、この実施の形態では、被写体が３ｍの場合に、ワイド撮影でもテレ撮影でも最も精度の良い輝度測定を行えるものとなる。しかしながら、ずらし量Ｍは最も遠距離撮影のときと最も近距離撮影のときとのずれ量の間であれば、一定のパララックス補正の効果を得ることができ、種々の値を設定できる。
【００４８】
このカメラ用測光装置２０の輝度測定も、第１，第２の実施の形態と同様に３種類の方法を適宜選択して採用することができる。
【００４９】
次に、本発明の第４の実施の形態のカメラ用測光装置２１を図７に基づいて説明する。このカメラ用測光装置２１も、第１の実施の形態のカメラ用測光装置１と同様な構成となっており、第３の実施の形態とは異なるパララックス補正を実施しているものとなっている。よって、第１の実施の形態と同一部材には同一符号を付してその説明を省略または簡略化することとする。
【００５０】
このカメラ用測光装置２１は、テレ撮影用のレンズ系を偏心させている。すなわち、ハーフミラー２２を２点鎖線で示した第１の実施の形態のハーフミラー２とは異なる角度に設定している。なお、このずらし角度γは、第３の実施の形態におけるずらし量Ｍと同じ考え方で設定されている。このため、テレ撮影用測光角βは、第１の実施の形態と同一であるが、その光軸ＷＴは、ワイド撮影用測光角αの光軸ＷＷとは２γだけずれることとなり、パララックス補正が可能となる。
【００５１】
このカメラ用測光装置２１の輝度測定も、第１から第３の実施の形態と同様に３種類の方法を適宜選択して採用することができる。
【００５２】
次に、本発明の第５の実施の形態のカメラ用測光装置２３を、図８および図９に基づいて説明する。なお、この第５の実施の形態は、第２の実施の形態のものの変更例で、第２の実施の形態と同一部材には、同一符号を付してその説明を省略または簡略化することとする。
【００５３】
このカメラ用測光装置２３では、受光素子１６，１６の受光面２４，２５は、同じ大きさとなっている。すなわち、受光素子１６，１７は、同一のものとなっている。しかし、受光素子１７と第２のレンズ１５との間に、図９に示すような枠体２６を配している。
【００５４】
枠体２６は、図５に示す中測光範囲ＭＳ１内の光のみを受光素子１７の受光面２５に当たるように、中測光範囲ＭＳ１に相当する部分を開口２６ａとした遮へい板となっている。枠体２６は、このようにして測定光Ｗを絞り込み、かつパララックス補正している。なお、第２の実施の形態の小測光範囲ＭＳ２に相当する部分を開口とするような枠体としても良い。
【００５５】
この第５の実施の形態のカメラ用測光装置２３の輝度測定は、第１から第４の実施の形態と同様にして行われる。すなわち、ワイドからテレへの所定の倍率の位置で使用する検知信号を切り替えたり、計算式（１）を使用したり、図３に示すように３つの領域で切り換えたりする。
【００５６】
次に、第６の実施の形態のカメラ用測光装置２７について、図１０および図１１に基づいて説明する。
【００５７】
このカメラ用測光装置２７は、第１から第５の実施の形態と異なり、受光素子は１つの受光素子２８となっている。そして、このカメラ用測光装置２７は、図１２に示す非球面厚肉レンズ３５と同様なレンズ（図示省略）を通過してくる測定光Ｗをシリンドリカルレンズ２９に入射させる。シリンドリカルレンズ２９を通過した測定光Ｗは、ＣｄＳからなる受光素子２８に入射し、電気信号に変換される。
【００５８】
シリンドリカルレンズ２９は、その測定光Ｗの光軸を中心として図１０の矢示のように回転可能とされている。そして、図１０に示す状態、すなわちワイド撮影のとき、その測定光Ｗは、受光素子２８の面上では、図１１の斜線で示すワイド領域ＺＷとなっている。なお、図１１において、大きな四角の領域は、図５で示す測光光軸側から見たワイド撮影範囲（＝ワイド時に撮影される範囲で本来測光すべき領域）ＳＷ，ＬＷに相当し、小さな四角の領域は、図５で示す測光光軸側から見た近距離撮影時のテレ撮影範囲（＝テレ時に撮影される範囲で本来測光すべき領域）ＳＴに相当する。
【００５９】
一方、テレ撮影時では、シリンドリカルレンズ２９が９０度矢示方向に回転される。このとき、測定光Ｗは、受光素子２８の面上では、図１１の２点鎖線で示すテレ領域ＺＴとなっている。このテレ領域ＺＴは、テレ撮影範囲ＳＴのほとんどを含むものとなっている。なお、受光素子２８の受光面は、シリンドリカルレンズ２９を通過した光を検知できる配置および大きさとなっている。
【００６０】
このように構成されたカメラ用測光装置２７の輝度測定は、次のようにして行われる。
【００６１】
ワイド撮影時、シリンドリカルレンズ２９は、図１０に示すような位置に配置されている。そして、シリンドリカルレンズ２９を通過し受光素子２８面に入射する光は、図１１の斜面部分となっている。この入射光は、ワイド撮影範囲ＳＷ，ＬＷのほぼ中心を覆うこととなり、ワイド撮影時の測光として好適なものとなる。そして、カメラは、受光素子２８の検知信号を輝度の測定値として利用することにより撮影を行うこととなる。
【００６２】
一方、テレ撮影時、シリンドリカルレンズ２９は、図１０の状態から９０度回転させられる。そのため、受光素子２８面に入射する光は、図１１の２点鎖線で示す部分となる。この入射光は、テレ撮影範囲ＳＴをほぼ含むものとなっており、テレ撮影時の測光として好適なものとなる。
【００６３】
そして、ワイドからテレ、テレからワイドへの中間の所定倍率の位置で、シリドリカルレンズ２９を図１０の状態から９０度回転させた状態へ、またはその逆に切り替える。これによって、各撮影状態にあった信号を受光素子２８から取り出すようにしている。
【００６４】
なお、所定倍率の位置での切り替え、すなわち９０度回転の他に、シリンドリカルレンズ２９を倍率に合わせて徐々に回転させていく方法を採用するようにしても良い。その場合、受光素子２８の検知信号に所定の補正係数をかけるようにすると、撮影領域の輝度に近似した測光値を得ることができ好ましいものとなる。
【００６５】
なお、上述の各実施の形態は、本発明の好適な実施の形態の例であるが、これに限定されるものではなく、本発明の要旨を逸脱しない範囲において、種々変形実施可能である。例えば、各実施の形態では、ファインダー光学系の光を輝度（明るさ）の測定に利用しないカメラ、例えば、図１２に示すようなファインダーブロック３４を有するカメラに適用するようにしたが、図１７のようにファインダー光学系５１の光を輝度の測定に利用するカメラにも適用することができる。
【００６６】
また、測定用のレンズとしては、非球面凸レンズや単なる凸レンズの他に種々のレンズを採用することができる。さらに、受光素子６，７，１６，１７，２８としては、ＣｄＳの他に、図１３に示すような４分割のＳＰＣや図１８に示すような２分割のＳＰＤ等、他の種々の形状や材質の受光素子を採用することができる。
【００６７】
また、第２の実施の形態のものに、第５の実施の形態の枠体２６を付加するようにしたり、第１，第３または第４の実施の形態のものに第５の実施の形態の枠体２６を付加するようにしても良い。こうすれば、受光素子７の受光面や受光素子１７の小さい受光面２５に入り込む光および検知する光を確実にテレ測光範囲のものに限定することができる。さらに、第１から第５の実施の形態のレンズ系の前方に第６の実施の形態のシリンドリカルレンズ２９を回転可能に置き、受光素子をワイド用とテレ用の２つとするようにしても良い。
【００６８】
【発明の効果】
以上説明したように、本発明のカメラ用測光装置では、明るさ（輝度）を測定する受光素子を２つ設け、一方をワイド撮影用とし、他方をテレ撮影用としたので、ワイド撮影とテレ撮影とによって異なる測光領域に合わせて測光できることとなり、明るさの測定精度を向上させることができる。
【００６９】
また、請求項１から３記載の発明では、レンズ系や受光面の工夫を行ったり、枠体を使用したりして光の絞り込みをしているため、テレ撮影時の明るさの測定を一層精度の良いものとすることができる。さらに、請求項４記載の発明では、第１および第２の検知信号を切り替えて使用しているので、信号の処理が簡略化される。加えて、請求項５記載の発明では、第１および第２の検知信号を利用した所定の計算式から明るさの値を算出しているので、精度の良い測光値を得ることができる。
【００７０】
さらに、請求項６および７記載の発明では、ワイド撮影とテレ撮影とその中間倍率の撮影の３種類の倍率に合わせて、最も適切な輝度測定を行うことができるので、非常に精度の良い測光値を得ることができる。
【００７２】
さらに、本発明のカメラでは、輝度測定機構が複雑にならず、少ない部品で構成されながら、その測定値が精度の良いものとなる。このため、故障が少なくて精度が良く、しかも軽量化されたカメラとすることができる。
【図面の簡単な説明】
【図１】本発明の第１の実施の形態のカメラ用測光装置の構成図である。
【図２】図１のカメラ用測光装置の撮影範囲および測光範囲を説明するための図で、撮影光軸側から見た遠距離撮影時の図である。
【図３】図１のカメラ用測光装置の輝度測定方法の１例を説明するための図である。
【図４】本発明の第２の実施の形態のカメラ用測光装置の構成図である。
【図５】図４のカメラ用測光装置の撮影範囲および測光範囲を説明するための図で、測光光軸側から見た図である。
【図６】本発明の第３の実施の形態のカメラ用測光装置の構成図である。
【図７】本発明の第４の実施の形態のカメラ用測光装置の構成図である。
【図８】本発明の第５の実施の形態のカメラ用測光装置の構成図である。
【図９】図８のカメラ用測光装置の枠体の平面図である。
【図１０】本発明の第６の実施の形態のカメラ用測光装置の構成図である。
【図１１】図１０のカメラ用測光装置の測光範囲を説明するための図である。
【図１２】従来のカメラ用測光装置を説明するための図で、ファインダーブロック内の構成を示す図である。
【図１３】図１２のカメラ用測光装置の明るさ測定の際の撮影範囲と測光範囲を説明するための図である。
【図１４】パララックスを説明するための図で、撮影側光軸と測光側光軸がずれていることを示す図である。
【図１５】図１４の状態における撮影光軸側から見た測光範囲を示す図で、（Ａ）は図１４の遠距離撮影の場合の各撮影範囲と測光範囲を示す図で、（Ｂ）は図１４の３ｍ位置の場合の各撮影範囲と測光範囲を示す図である。
【図１６】図１２のカメラ用測光装置における近距離撮影の際のワイド撮影範囲およびテレ撮影範囲ならびに測光範囲と、その際の問題点を説明するための図である。
【図１７】従来の他のカメラ用測光装置を説明するための図で、ファインダー光学系の構成を示す図である。
【図１８】図１７のカメラ用測光装置に使用される受光素子の構成を示す斜視図である。
【図１９】図１７のカメラ用測光装置における撮影範囲および測光範囲を示す図で、（Ａ）はワイド時の撮影範囲および測光範囲を示す図で、（Ｂ）はテレ時の撮影範囲および測光範囲を示す図である。
【符号の説明】
１  カメラ用測光装置（第１の実施の形態）
２  ハーフミラー
３  測光レンズ
４  第１のレンズ
５  第２のレンズ
６  ワイド撮影用の受光素子
７  テレ撮影用の受光素子
１１  カメラ用測光装置（第２の実施の形態）
１２  ハーフミラー
１３  測光レンズ
１６  ワイド撮影用の受光素子
１７  テレ撮影用の受光素子
１８，１９  受光面
２０，２１  カメラ用測光装置（第３および第４の実施の形態）
２２  ハーフミラー
２３  カメラ用測光装置（第５の実施の形態）
２４，２５受光面
２６  枠体
２６ａ  開口
２７  カメラ用測光装置（第６の実施の形態）
２８  受光素子
２９  シリンドリカルレンズ
【図１】
0003782189.tif 000002
【図２】
0003782189.tif 000003
【図３】
0003782189.tif 000004
【図４】
0003782189.tif 000005
【図５】
0003782189.tif 000006
【図６】
0003782189.tif 000007
【図７】
0003782189.tif 000008
【図８】
0003782189.tif 000009
【図９】
0003782189.tif 000010
【図１０】
0003782189.tif 000011
【図１１】
0003782189.tif 000012
【図１２】
0003782189.tif 000013
【図１３】
0003782189.tif 000014
【図１４】
0003782189.tif 000015
【図１５】
0003782189.tif 000016
【図１６】
0003782189.tif 000017
【図１７】
0003782189.tif 000018
【図１８】
0003782189.tif 000019
【図１９】
0003782189.tif 000020